(57)【要約】【課題】大当たり当選時、直ちには大当たりを発生させず、所定の条件をクリアした時点で発生させるようにした遊技機を提供する。【解決手段】本パチンコ機１では、開閉制御手段は、大当たり前段判定時、所定時間内にて所定回数だけ開閉体２２を開閉動作させ、入球判定手段が、該開閉動作中、第２入球口２８、３０に所定数の遊技球が入球したか否かを判定し、大当たり発生手段が、所定数の遊技球の入球有りと判定された際に大入賞口７９を開放して大当たりを発生させる。しかも、１回の開閉角度が所定時間内にて段階的に狭くなるようにされるので、遊技者は、大当たり発生を得るために所定数の入球を得ようとする中で、最初は比較的容易に入球できていた状態が、或る時点から入球し難くなったことに驚きと新奇な遊技性とを感じつつ遊技を進め得る。【選択図】図１
2007244617.tif 000002
【特許請求の範囲】
【請求項１】
第１入球部と、大当たり発生の契機となる入球が行われる大当たり入球口を含む第２入球部及び前記第１入球部への入球を契機として該第２入球部を開閉する開閉体を有する入球役物と、前記大当たり入球口への入球時に大当たり前段と判定する大当たり前段判定手段と、該大当たり前段判定後に開放される大入賞部と、を備えてなる遊技機であって、
前記大当たり前段判定手段が大当たり前段と判定した際、所定時間内にて所定回数だけ前記開閉体を開閉動作させると共に、該開閉体の開閉角度を段階的に変化させる開閉制御手段と、
該開閉制御手段による前記開閉体の開閉動作中、前記第２入球部に所定数の遊技球が入球したか否かを判定する入球判定手段と、
該入球判定手段が前記所定数の遊技球の入球有りと判定した際、前記大入賞部を開放して大当たりを発生させる大当たり発生手段と、を備える、
ことを特徴とする遊技機。
【請求項２】
前記開閉制御手段が、前記開閉体の前記開閉角度を２段階に狭くするように制御し、かつ前記入球判定手段が、前記２段階における第１及び第２段階それぞれで前記第２入球部への入球数を判定し、
前記開閉制御手段は、前記第１段階での前記開閉体の開閉動作で第１の個数の遊技球が入球したことを前記入球判定手段が判定した時点で、前記開閉角度を前記第１段階より狭くして前記第２段階に移行させ、
前記入球判定手段は、前記第２段階では前記第１の個数と合計して前記所定数となる第２の個数の遊技球の入球の有無を判定してなる、
請求項１記載の遊技機。
【発明の詳細な説明】
【技術分野】
【０００１】
本発明は、パチンコ機等の遊技機に係り、詳しくは、所定の契機で開閉する開閉体を有する入球役物を備えた遊技機に関する。
【背景技術】
【０００２】
遊技機には、いわゆる第１種特別電動役物を用いたパチンコ機（以下、第１種パチンコ遊技機という）や、いわゆる第２種特別電動役物を用いたパチンコ機（以下、第２種パチンコ遊技機という）と称されるものがあり、従来から広く親しまれている。
【０００３】
第１種パチンコ遊技機は、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成される（特許文献１参照）。そして、一般入賞口に入球した際にそれに対応した個数の遊技球が払い出され、始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
また、第２種パチンコ遊技機は、遊技盤の遊技領域に配置された、始動口と、該始動口への入賞を契機として開閉する開閉体（いわゆる羽根）を介して内部に入球可能な入賞役物と、を備えて構成される（特許文献２参照）。この遊技機では、始動口への入球に応じて開閉体が開閉動作し、開閉体に拾われて入賞役物内に取り込まれた遊技球が、役物外部に排出される排出口と、Ｖゾーンと称される入賞口とに振り分けられて機械的な抽選が行われる。そして、Ｖゾーンに入賞すると、開閉体が比較的長い時間開閉動作を繰り返し、入賞役物への遊技球の入賞を容易にして遊技者に特別遊技を行わせる。
【０００５】
【特許文献１】特開平０７−２８４５５９号公報
【特許文献２】特開２００４−８９２１８号公報
【発明の開示】
【発明が解決しようとする課題】
【０００６】
ところで、特許文献１に記載されるような第１種パチンコ遊技機では、大当たり抽選による大当たりの当選や外れは、ソフト的な乱数抽選によって決定されているため、大当たりに至るプロセスは遊技者にとって実感がなく、不鮮明なものと考えられがちである。従って、例えば特許文献２に記載されるような第２種パチンコ遊技機にて行われる上記機械的抽選時のプロセスをより一層際立たせ、大当たりに至るプロセスを遊技者により効果的に実感させると共に、第１種パチンコ遊技機における大当たり抽選時の乱数の偏りを遊技管理者（ホール管理者）や遊技者にあまり感じさせないようなパチンコ機の現出が望まれる。
【０００７】
そこで本発明は、Ｖゾーンへの入球を契機として特別遊技が取得できる所謂第２種パチンコ遊技機の機能を基本としながら、大当たり当選時、直ちには大当たりを発生させず、所定の条件をクリアした時点で発生させるように構成し、もって上記課題を解決した遊技機を提供することを目的とするものである。
【課題を解決するための手段】
【０００８】
請求項１に係る本発明は（例えば図１ないし図７参照）、第１入球部（１４、１５）と、大当たり発生の契機となる入球が行われる大当たり入球口（３０）を含む第２入球部（２８、３０）及び前記第１入球部（１４、１５）への入球を契機として該第２入球部（２８、３０）を開閉する開閉体（２２）を有する入球役物（３６）と、前記大当たり入球口（３０）への入球時に大当たり前段と判定する大当たり前段判定手段（７７）と、該大当たり前段判定後に開放される大入賞部（７９）と、を備えてなる遊技機（１）であって、
前記大当たり前段判定手段（７７）が大当たり前段と判定した際、所定時間（例えば２８秒）内にて所定回数（例えば１８回）だけ前記開閉体（２２）を開閉動作させると共に、該開閉体の開閉角度を段階的に変化させる開閉制御手段（８０）と、
該開閉制御手段（８０）による前記開閉体の開閉動作中、前記第２入球部（２８、３０）に所定数（例えば１５個）の遊技球が入球したか否かを判定する入球判定手段（８５）と、
該入球判定手段（８５）が前記所定数（例えば１５個）の遊技球の入球有りと判定した際、前記大入賞部（７９）を開放して大当たりを発生させる大当たり発生手段（７８）と、を備える、
ことを特徴とする遊技機（１）にある。
【０００９】
なお、本発明における上記「入球」は、賞球を行わない遊技球の単なる進入（又は通過）、及び所定数の賞球を行う遊技球の進入の双方を含む概念であり、また上記「入賞」は、所定数の賞球を行う遊技球の進入を意味する概念であり、「大当り前段」とは、大当りに至る途中段階プロセスを意味する概念である。
【００１０】
請求項２に係る本発明は（例えば図１及び図６参照）、前記開閉制御手段（８０）が、前記開閉体（２２）の前記開閉角度を２段階に狭くするように制御し、かつ前記入球判定手段（８５）が、前記２段階における第１及び第２段階それぞれで前記第２入球部（２８、３０）への入球数を判定し、
前記開閉制御手段（８０）は、前記第１段階での前記開閉体（２２）の開閉動作で第１の個数（例えば８個）の遊技球が入球したことを前記入球判定手段（８５）が判定した時点で、前記開閉角度を前記第１段階より狭くして前記第２段階に移行させ、
前記入球判定手段（８５）は、前記第２段階では前記第１の個数（例えば８個）と合計して前記所定数（例えば１５個）となる第２の個数（例えば７個）の遊技球の入球の有無を判定してなる、
請求項１記載の遊技機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、開閉制御手段が、大当たり前段判定手段が大当たり前段と判定した際、所定時間内にて所定回数だけ開閉体を開閉動作させるように制御し、入球判定手段が、開閉制御手段による開閉体の開閉動作中、第２入球部に所定数の遊技球が入球したか否かを判定し、大当たり発生手段が、入球判定手段が所定数の遊技球の入球有りと判定した際、大入賞部を開放して大当たりを発生させるので、大当たりに当選した場合、所謂第２種パチンコ遊技機のセンター役物に相当する入球役物への所定数の入球を満たした時点で大当たりが実際に発生（即ち、所定数の入球を遊技者等に視認・実感させた後に発生）することになる。これにより、機械的抽選時のプロセスをより一層際立たせ、大当たりに至るプロセスを遊技者により効果的に理解・実感させると共に、第１種パチンコ遊技機における大当たり抽選時の乱数の偏りをホール管理者や遊技者にあまり感じさせない遊技機を実現することができる。しかも、開閉体の開閉角度を段階的に変化させるので、遊技者は、大当たり発生までのアプローチとして所定数の入球を得ようとする中で、最初のうちは比較的容易に入球できていた状態が、或る時点から入球し難い状態になったことに若干の驚きと新奇な遊技性とを感じつつ、遊技を進めることができる。
【００１３】
請求項２に係る本発明によると、開閉制御手段が、第１段階での開閉体の開閉動作で第１の個数の遊技球が入球したことを入球判定手段が判定した時点で、開閉体の開閉角度を第１段階より狭くして第２段階に移行させ、入球判定手段が、第２の個数の遊技球の入球の有無を判定するので、開閉角度が互に異なる各段階での入球プロセスで、予め設定された入球数をクリアしなければ大当たりを発生させることができず、従って遊技者は、折角得た大当たりの権利が消滅するかもしれないというスリルを味わいながら遊技を進めることができる。
【発明を実施するための最良の形態】
【００１４】
以下、本発明に係る遊技機の実施形態として、遊技場等に設置されるパチンコ機を図面に沿って説明する。なお、本実施の形態では、本発明に係る遊技機を所謂第２種特別電動役物を用いたパチンコ機（第２種パチンコ遊技機）として述べる。なお、図１は本実施の形態におけるパチンコ機１の外部構造を示す正面図、図２は本パチンコ機１の遊技盤１１を拡大して示す正面図、図３はパチンコ機１の開閉体の開閉動作を示す図であり、図４ないし図６は本パチンコ機１の作用を説明するためのフローチャート、図７は本パチンコ機１の制御系を示す制御ブロック図である。
【００１５】
本パチンコ機１は、図１に示すように、発射ハンドル９の操作による発射装置７２（図６参照）の作動で遊技球（所謂パチンコ玉）を遊技盤１１の遊技領域１１ａに打ち出しつつ遊技を行うもので、打ち出された遊技球が、特定入球口１３、始動入賞口（第１入球口）１４、１５、一般入賞口１６、１６、センター役物３６内の通常入賞口（通常入球口）２８、２８及び大当たり入賞口（大当たり入球口）３０、並びにアウト口１８に進入する構成を備えている。なお、これら通常入賞口２８、２８及び大当たり入賞口３０により第２入球口が構成されている。この大当り入賞口３０は、大当り前段入球口としても機能する。
【００１６】
また、始動入賞口１４と始動入賞口１５との間には大入賞口（大入賞部）７９が配置されている。該大入賞口７９は、大当たり入賞口３０への入球時に大当たり前段判定手段７７（図６参照）によって大当たり前段と判定された後、開放される。この開放は、大当たり発生手段７８により、後述する特定領域センサ７６からの継続信号の有無に応じて、最大で１５ラウンドを提供して閉止するように制御される。
【００１７】
上記始動入賞口１４、１５への入賞は、通常の賞球のみならず、開閉体２２、２２を開閉動作させてセンター役物３６の特定入球口１３を開放（即ち、通常入賞口２８及び大当たり入賞口３０を開閉）させる条件ともなる。また、通常入賞口２８、２８は、一般入賞口１６、１６と同様、遊技球の入賞をもって所定数の賞球を行うための入賞口であり、大当たり入賞口３０は、大当たり発生の契機となる入賞が行われ、パチンコ機１を特定の遊技状態に移行させるための入賞口であるが、後述する大当り種別選定手段８３（図７参照）により「特別大当たり」が選定された場合には、その機能が逆になる。すなわち、特別大当たりが選定された際には、次回の大当たりを引き易い状態（所謂第１種パチンコ遊技機でいう確立変動状態に近い遊技者にとって有利な状態（以下、確変状態という））となるように、大当たり入賞口３０を通常入賞口２８、２８として機能させ、かつ該入賞口２８、２８を大当たり入賞口３０として機能させるように切換え制御手段８２（図７参照）が制御する。
【００１８】
なお、本実施の形態において、「入球」とは、賞球を行わない遊技球の単なる進入（又は通過）を意味し、「入賞」とは、所定数の賞球を行う遊技球の進入を意味する概念であるが、本発明における「入賞」は同様であるが、「入球」は、賞球を行わない遊技球の単なる進入（又は通過）、及び所定数の賞球を行う遊技球の進入の双方を含む概念とする。
【００１９】
図１に示すように、本パチンコ機１は、開口を有する枠体状の筐体２と、この筐体２に開閉可能に装着された前扉３とを有しており、前扉３の前面には、透明ガラス６を有するガラス枠５が開閉可能に取り付けられている。透明ガラス６の奥側には、遊技盤１１が配設されている。前扉３における遊技盤１１の左右及び上部には演出用照明装置２３が配設されており、前扉３における上部左右には、夫々スピーカ（図示せず）を有する放音装置８が配設されている。また、ガラス枠５における右側部には、前扉３を筐体２側に施錠又は解放するための施錠装置４が配設されている。
【００２０】
そして、前扉３における下部中央には皿ユニット６が設けられており、皿ユニット６における右上部には、球貸ボタン７ａ及びプリペイドカード返却ボタン７ｂが設けられている。これらボタン７ａ、７ｂの奥側には、皿ユニット６上に遊技球を放出する球放出口９１が設けられている。皿ユニット６の中央部には、該皿ユニット６上の遊技球を発射装置７２（図６参照）付近から皿ユニット下部の球排出口（図示せず）を通して下方に排出するための第１球抜きボタン２１ａと、皿ユニット６上の遊技球を上記球排出口を通して下方に排出するための第２球抜きボタン２１ｂとが配置されている。
【００２１】
また、前扉３における皿ユニット６の右側下方には、発射装置７２を操作して遊技球を遊技領域１１ａに向けて打ち出すための発射ハンドル９が配設されており、皿ユニット６の左側下方には灰皿２５が配設されている。遊技領域１１ａの最下部には、アウト口１８が形成されている。また、図示は省略するが、遊技領域１１ａにて入賞することなく落下してアウト口１８に進入した遊技球をパチンコ機背面側に導くアウト球通路が設けられている。なお、図１中の符号１２は、発射ハンドル９の操作で発射された遊技球を遊技領域１１ａに導くガイドレールを示している。
【００２２】
本実施の形態では、上述した特定入球口１３、始動入賞口１４、１５、一般入賞口１６、１６、センター役物３６内の通常入賞口２８、２８及び大当たり入賞口３０は全て、遊技球が入った場合に、予め定められた遊技球を賞球するように制御されるが、通常入賞口２８、２８及び大当たり入賞口３０については、以下のように制御される。
【００２３】
すなわち、大当たり前段判定手段７７（図７参照）が大当たり前段と判定した場合、開閉体駆動ソレノイド３９（図７参照）によって開閉体２２、２２が所定時間（本実施形態では２８秒）内で所定回数（本実施形態では１８回）だけ開閉している動作中、上記入賞口２８、２８、３０に所定数（本実施形態では１５個）の遊技球が入球したか否かが入球判定手段８５により判定される。
【００２４】
また、遊技領域１１ａには、センター役物３６の左右上方及び左右下方にそれぞれ風車３５が配設されている。また、遊技領域１１ａにおけるセンター役物３６の周囲には、発射されてからセンター役物３６に関与せずに落下してくる遊技球を適宜散らし、始動入賞口１４、１５等に対し、入球に導くようにするための多数の障害釘（図示せず）が打ち込まれている。なお、本実施の形態では、風車３５がセンター役物３６の左右上方及び左右下方に配設されるものとして述べるが、これは１つの例であり、配設させる位置や数については遊技領域１１ａ内において特に限定されるものではない。また、障害釘及び各種入賞口にあっても、配設させる位置や数について遊技領域１１ａ内において特に限定されるものではない。
【００２５】
次に、センター役物３６について、図２を参照して詳細に説明する。センター役物３６の上部には、本パチンコ機１の名称やロゴ等を模った装飾部材７４が配設されており、その下方には、センター役物３６に備えた略々台形形状の開口部２７から露出するように図柄表示装置３１が配設されている。該図柄表示装置３１の左右には、開閉体２２、２２が、不図示の軸を中心として特定入球口１３を開閉するように配設されている。
【００２６】
また、特定入球口１３の直下方であってセンター役物（入球役物）３６の左右外側部には、センター役物３６を装飾する外枠部材３７が形成され、更にその内側には、特定入球口１３の下方からセンター役物３６の中央部を囲うような波形の壁部材３８により装飾されている。この壁部材３８の下方端部、即ちセンター役物３６の底部には、センター役物３６に導入された遊技球を入賞させる通常入賞口（第２入球部）２８、２８と、該入賞口２８、２８の中間に位置する１つの大当たり入賞口（第２入球部、大当たり入球口）３０とが、それぞれの開口部を水平方向に揃えて同じ高さとした横並びの状態で配設されている。
【００２７】
ここで、開閉体２２、２２について詳述すると、図３に該開閉体の装飾部を省略して弁体のみを拡大して示すように、開閉体２２、２２は、特定入賞口１３を閉塞して遊技球がセンター役物３６内に入球することを阻止する全閉位置２２ａと、後述する開閉制御手段８０からの信号に基づき、遊技球がセンター役物３６内に入球することを許容する全開位置２２ｂと、さらに、遊技球がセンター役物３６内に入球することは可能であるが入球の経路を狭めた半開位置２２ｃと、の開閉位置を取り得る。これら開閉体２２、２２の開閉位置関係は、全閉位置２２ａを基準として全開位置２２ｂまでの移動角度をα、半開位置２２ｃまでの移動角度をβとすると、角度βは角度αの１／２倍の関係にある。すなわち、開閉体２２、２２の半開位置２２ｃでは、全開位置２２ｂに対して半分の角度で開いており、遊技球の入球数を抑えている。
【００２８】
次に、本実施形態におけるパチンコ機１の制御系を図７に沿って説明する。すなわち、本制御系は、大きく分けて、遊技制御装置６０と、放出制御装置６１を初めとするその他の周辺装置等とによって構成されている。
【００２９】
遊技制御装置６０は、遊技盤１１の裏面に装着された役物制御ユニット（図示せず）により実現されるもので、パチンコ遊技（弾球遊技）等に必要な役物制御を行うワンチップマイコンからなる遊技用マイクロコンピュータ６２と、水晶の発振周波数を分周して所定のクロックを得るクロック生成回路（ＣＬＫ）６３と、各種信号の入出力を行う入出力インターフェース６４と、を有している。
【００３０】
遊技用マイクロコンピュータ６２は、ＣＰＵ６２ａ、ＲＯＭ６２ｂ、ＲＡＭ６２ｃを内蔵しており、いわゆるアミューズチップ用のＬＳＩとして用いられるものである。遊技用マイクロコンピュータ６２は、ＲＯＭ６２ｂに、開閉制御手段８０、大当たり前段判定手段７７、入球判定手段８５、大当たり発生手段７８、大当たり種別選定手段８３、及び切換え制御手段８２を有している。
【００３１】
開閉制御手段８０は、始動入賞口１４への入賞を検出した第１入賞口センサ６５からの検出信号を受信した際に、開閉体駆動ソレノイド３９を作動制御して、開閉体２２、２２を１回だけ開閉動作（本実施形態では０．５秒間）させ、始動入賞口１５への入賞を検出した第２入賞口センサ６６からの検出信号を受信した際に、開閉体駆動ソレノイド３９を作動制御して、開閉体２２、２２を２回だけ開閉動作（本実施形態では１．０秒間）させる。さらに、開閉制御手段８０は、大当たり前段判定手段７７が大当たり前段と判定した際、所定時間（例えば２８秒）内にて所定回数（例えば１８回）だけ開閉体２２、２２を開閉動作させると共に、開閉体２２、２２の開閉角度を段階的に狭くなるように制御する。
【００３２】
開閉角度を段階的に狭くする制御の例としては、開閉体２２、２２を全閉位置２２ａから全開位置２２ｂに移行する全開制御と、開閉体２２、２２を全閉位置２２ａから全開角度の１／２の角度位置となる半開位置２２ｃで停止する半開制御との２段階に分けて制御することができる。開閉体２２、２２の開閉動作中には、入球判定手段８５が、第２入球口２８、３０への入球数を判定しており、入球判定手段８５が第１の個数（例えば８個）の遊技球が入球したと判定した時点で開閉制御手段８０に信号を送出し、開閉体２２の開閉角度を切換えて半開制御動作に移行させて第２の個数（例えば７個）の入球が行われる。
【００３３】
大当たり前段判定手段７７は、大当たり入賞口３０に遊技球が入球した際、入賞口センサ６７から送られる検出信号に応じて大当たり前段と判定する。
【００３４】
入球判定手段８５は、大当たり前段判定手段７７による大当たり前段判定後に開閉体駆動ソレノイド３９による開閉体２２、２２の開閉動作中、入賞口センサ６７、８１からの検出信号に基づき、通常入賞口２８、２８及び大当たり入賞口３０に合計で１５個の遊技球が入球したか否かを判定する。つまり、入球判定手段８５は、第２段階では上記第１の個数（例えば８個）と合計して上記所定数（例えば１５個）となる第２の個数（例えば７個）の遊技球の入球の有無を判定する。ここで、通常入賞口２８、２８及び大当たり入賞口３０への遊技球の進入を「入球」と称するのは、１５個の遊技球の進入に対応した賞球が無いからである。すなわち、大当たり前段判定手段７７によって大当たり前段判定がなされるまでは皿ユニット６への賞球が行われるが、大当たり前段判定後における大当たり発生までの条件となる１５個の遊技球進入に対しては賞球を行わないように、後述の放出制御装置６１（図７参照）によって制御される。
【００３５】
大当たり発生手段７８は、大当たり前段判定手段７７による上記大当たり前段判定後、入球判定手段８５が入賞口センサ６７、８１からの検出信号に基づいて１５個の遊技球の入球有りと判定した際に、大入賞口７９を開放して大当たりを発生させる。
【００３６】
大当たり種別選定手段８３は、入賞口センサ６７及び入賞口センサ８１により入球有りと判定された後、大当たり発生手段７８により大入賞口７９が開放されるまでの間に、発生させる大当たりの種別を選定する。この選定は、ＲＯＭ６２ｂに格納された乱数値に基づく抽選で決定され、選定される大当たり種別には、通常大当たり及び特別大当たりの２種類がある。すなわち、通常大当たりが選定（抽選）された際には、多数の出玉を遊技者に取得させた後に大当たり前の通常状態に復帰させる。一方、特別大当たりが選定（抽選）された際には、切換え制御手段８２の制御で通常入賞口２８，２８と大当たり入賞口３０の機能を逆にすることで、上述した確変状態にする。この確変状態では、大入賞口７９が最大で所定ラウンド数（本実施形態では１５回）だけ開放されて多数の出玉が遊技者に提供された後も、遊技者にとって有利な状態で遊技を進行できるようになる。特別大当たりが抽選された際には、遊技制御装置６０による演出用照明装置２３や図柄表示装置３１等の各種発光・表示演出がなされる。
【００３７】
切換え制御手段８２は、大当たり種別選定手段８３により特別大当たりが選定された場合に、大当たり入球口３０が通常入球口２８，２８として機能し且つ該通常入球口２８，２８が大当たり入賞口３０として機能するように制御して、上記確変状態を現出させる。そして、確変状態が選定されない場合（つまり、通常大当たりの場合）には、通常入賞口２８，２８及び大当たり入賞口３０の各機能が本来の状態とされる。
【００３８】
遊技制御装置６０の入出力インターフェース６４には、第１入賞口センサ６５、第２入賞口センサ６６、入賞口センサＡ１、Ａ２、特定領域センサ７６、並びに、センター役物３６における入賞口センサ６７及び入賞口センサ８１からの検出信号が入力される。ここで、第１入賞口センサ６５は始動入賞口１４への入賞を検出するセンサ、第２入賞口センサ６６は始動入賞口１５への入賞を検出するセンサであり、入賞口センサＡ１、Ａ２は、一般入賞口１６、１６への入賞をそれぞれ検出するセンサである。
【００３９】
特定領域センサ７６は、大入賞口７９内に設けられた特定領域（継続ゾーン）への遊技球の進入を検出するセンサであり、大当たり発生時に開放し得る所定ラウンド数（本実施形態では１５回）を継続させるための継続信号を出力する。大当たり発生手段７８は、大当たりを発生させて大入賞口７９を開放させた後、１ラウンド（つまり、１回の開放）毎に上記継続信号の有無を判定し、該信号が所定ラウンド数に亘って検出できれば遊技者に対して全ラウンドの賞球を提供するが、所定ラウンド数の途中で途切れたと判定したときは、大入賞口開閉ソレノイド７５への駆動信号を停止して大入賞口７９を閉止する。
【００４０】
入賞口センサ６７は、開閉体２２、２２によってセンター役物３６内に取り込まれた遊技球のうち、大当たり入賞口３０に入賞した遊技球を検出してＶ入賞検知信号を出力するセンサである。入賞口センサ８１は、通常入賞口２８、２８への入賞をそれぞれ検出するセンサである。なお、通常入賞口２８がＮ個ある場合には、入賞口センサもこれに対応してＮ個配設される。
【００４１】
一方、入出力インターフェース６４からは、放音装置８を放音駆動して効果音などの出力制御を行う音声出力制御装置６８、演出用照明装置２３や図柄表示装置３１等の制御を行う演出制御装置６９、センター役物３６の開閉体２２、２２を駆動する開閉体駆動ソレノイド３９、大入賞口７９を開閉駆動する大入賞口開閉ソレノイド７５、発射装置７２を制御する発射制御装置７１に、それぞれ信号が出力される。
【００４２】
また、入出力インターフェース６４からは、放出制御装置６１に賞球制御情報の信号が出力される。なお、賞球制御情報の内容としては、賞球数情報や放出条件等の情報が出力される。放出制御装置６１は、遊技制御装置６０から入力される賞球制御情報に基づいて、放出ユニット（不図示）を駆動して遊技球を放出する制御を行うものである。すなわち、遊技制御装置６０は、各入賞口に対応する第１入賞口センサ６５、第２入賞口センサ６６、入賞口センサＡ１、Ａ２、入賞口センサ６７、８１により入賞が検出されると、各入賞口の入賞価値に対応して予め設定された賞球数情報を放出制御装置６１へ送信する。放出制御装置６１は、この賞球数情報を受信したとき該情報に応じた賞球制御を実行し、皿ユニット６への遊技球放出を行う。
【００４３】
次に、本パチンコ機１による作用について、図４ないし図６のフローチャートを参照して説明する。
【００４４】
すなわち、本パチンコ機１に対面して着座した遊技者が発射ハンドル９を握り、適宜の角度に回動操作すると、発射制御装置７１がその回動角に対応して発射装置７２を制御し、該発射装置７２の作動で遊技球を所定の時間間隔で遊技領域１１ａに連続的に発射させる。すると、遊技領域１１ａに打ち出されて転動落下する遊技球は、入賞口１４、１５等に適時入賞し、或いは、これらに関与せずに転動落下して、遊技領域１１ａ最下部のアウト口１８から遊技盤１１背面側に排出される。
【００４５】
そして、第１入賞口１４に遊技球が入賞した場合（ステップＳ１）、センター役物３６に備えた開閉体２２、２２が、開閉制御手段８０の制御による開閉体駆動ソレノイド３９の作動で１回の開閉動作（本実施形態では０．５秒間）を行う（ステップＳ２）。また、第２入賞口１５に遊技球が入賞した場合には（ステップＳ１）、開閉体２２、２２が、開閉制御手段８０の制御による開閉体駆動ソレノイド３９の作動で２回の開閉動作（本実施形態では１．０秒間）を行う（ステップＳ２）。このようにして特定入球口１３が開放状態になった際、開閉体２２、２２の開閉にタイミングが合うようにセンター役物近傍を通過した遊技球が該開閉体２２、２２に拾われると、該遊技球は特定入球口１３からセンター役物３６内に導入される。
【００４６】
導入された遊技球は、センター役物３６内を落下し、通常入賞口２８、２８や大当たり入賞口（Ｖゾーン）３０へと向かう。その間、遊技用マイクロコンピュータ６２は、入賞口センサ６７、８１からの検出信号の有無を判定して、センター役物３６内に入賞したか否かを判定し（ステップＳ３）、該入球有りと判定した場合、大当たり入賞口３０への入賞か否かを判定する（ステップＳ４）。その結果、大当たり入賞口３０への入賞であった場合、大当たり前段判定手段７７が大当たり前段と判定し、そして開閉制御手段８０が、所定時間（本実施形態では２８秒）内にて所定回数（本実施形態では１８回）だけ開閉体２２、２２を開閉動作させるように開閉体駆動ソレノイド３９を制御する（ステップＳ５）。
【００４７】
この際、開閉制御手段８０は、上記大当たり判定時、所定時間（例えば２８秒）内にて所定回数（例えば１８回）だけ開閉体２２、２２を開閉動作させつつ、１回の開閉動作の開閉角度が段階的に狭くなるように制御するために、まず、第１段階として開閉体２２を全開Ｍ１に設定する。つまり、開閉体２２は、全閉位置２２ａから全開位置２２ｂまで回動する（ステップＳ６）。そして、入球判定手段８５が合計でｘ個（例えば８個）以上の入球、即ち、実質的に合計ｘ個の入球有りと判定すると（ステップＳ７）、開閉制御手段８０は、第２段階として、全開位置より狭い開閉角度Ｍ２に設定する。つまり、開閉体２２は全閉位置２２ａと全開位置２２ｂとの中間位置２２ｃ（本実施例では全開角度の１／２の角度）で停止する（ステップＳ８）。その後、ステップ１０において、ｙ個以上の入球が有ったか否かを判定する。
【００４８】
上記ステップＳ７でｘ個の入球有りと判定されない際には、ステップＳ９で、開閉体２２の全開Ｍ１における開閉回数（１０回）がクリアされたか否かを判定し、クリアされれば、処理が終了されて大当たりの権利が消滅され、クリアされなければステップＳ７を繰り返す。また、上記ステップＳ１０でｙ個の入球有りと判定されない際には、ステップＳ１１で、開閉体２２の半開Ｍ２における開閉回数（８回）がクリアされたか否かを判定し、クリアされれば、処理が終了されて大当たりの権利が消滅され、クリアされなければステップＳ１０を繰り返す。
【００４９】
一方、上記ステップＳ１０で、入球判定手段８５がｙ個以上の入球、即ち、実質的にｙ個の入球有りと判定した際には、大当たり種別選定手段８３が、発生させる大当たりの種別を抽選する（ステップＳ１６）。この時点で、開閉制御手段８０は開閉体駆動ソレノイド３９の作動を停止して開閉体２２，２２を閉止する。
【００５０】
そして、ステップＳ１７にて、ステップＳ１６で選定された大当たり種別は確変状態を取得する特別大当たりであるか否かを判定し、特別大当たりである場合には、ステップＳ１８にて、遊技制御装置６０による演出用照明装置２３や図柄表示装置３１等の各種発光・表示演出がなされた後、切換え制御手段８２が、大当たり入球口３０を通常入球口２８，２８として機能させ、通常入球口２８，２８を大当たり入賞口３０として機能させるように制御し、大当たり入賞口３０（つまり、Ｖゾーン）への入賞が容易となるようにセンター役物３６の状態を変動させた後（ステップＳ１９）、大当たり発生手段７８が大入賞口７９を開放して大当たりを発生させる（ステップＳ１２）。一方、ステップＳ１７で特別大当たりではない（つまり、通常大当たり）と判定された際には、そのままの状態でステップＳ１２に進んで、大入賞口７９が開放されて大当たりが発生する。
【００５１】
そして、遊技領域１１ａに打ち出される遊技球のうち、開放した大入賞口７９方向に流下するものが入賞することになる。その間、大当たり発生手段７８は、ｚ個（例えば１０個）の入賞があったか否か（又はＮ秒(例えば１５秒)経過したか否か）を判定し（ステップＳ１３）、ｚ個入賞があった時点（又はＮ秒経過した時点）で大入賞口７９を一旦閉止する（ステップＳ１４）。この際、大当たり発生手段７８は、１ラウンド毎に特定領域センサ７６からの継続信号の有無を判定し（ステップＳ２７）、該継続信号が各ラウンドで継続している間は大入賞口７９の開閉動作（ラウンド動作）を繰り返し、最大でＮ回（つまり１５回）に至ったとき（ステップＳ２８）、或いは、ステップＳ２７にて特定領域センサ７６の継続信号が得られなくなったとき、大当たり終了として大入賞口７９を閉止させる。このように、複数回のラウンドでの入賞を経過することで、皿ユニット６には多量の遊技球が払い出される。そして遊技者は、大当たり終了時点から、上述の確変状態又は通常状態での遊技を続行することとなる。
【００５２】
なお、本実施の形態では、通常入賞口２８、２８及び大当たり入賞口３０に遊技球が合計で１５個入球した時点で大入賞口７９を開放して大当たりを発生させるように構成し、上記１５個入球に対する賞球は行わなかったが、上記１５個入球に対する賞球を行うように構成することも可能である。また、開閉体２２の半開位置２２ｃは、全閉位置２２ａから全開位置２２ｂに至る１／２の角度位置に限られず、例えば１／４や３／４などの任意の角度位置に設定することも可能であり、さらには、半開位置２２ｃを規定することなく無段階遷移により開閉動作することもできる。
【００５３】
さらに、本実施の形態では、入球判定手段８５がｘ＋ｙ個（例えば１５個）以上の入球があった場合大当りになるとしたが、別の実施の形態として、入球数に応じて当り状態を選択させるように構成することもできる。例えば、１５個以上入球があった場合は大当り（１５ラウンド）、１３個以上入球があった場合は、中当り（８ラウンド）、１０個以上入球があった場合は小当り（２ラウンド）にし、目に見える状態、すなわち入球数で当り順位をつける。こうすることによって当りをより多く遊技者に提供できる他、従来から有するパチンコ機において、大当りであるにも関わらずラウンド数を内部抽選（例えば２ラウンドまたは１５ラウンド）で決められてしまう遊技機に対し遊技者が持つ不透明感や不公平感を払拭することができる。
【００５４】
また、本実施の形態では、上記確変状態に移行した際に、例えば１５個の入球があった後に大入賞口７９を開放して大当りを発生させるように構成したが、これ以外の構成も可能である。例えば、確変状態に移行した際にはセンター役物３６への、判定に必要な入球数を減らすように制御し、１０個入球があった後に大入賞口７９を開放したり、５個入球があった後に大入賞口７９を開放したりするようにも構成できる。
【００５５】
以上説明したように本実施の形態によると、開閉制御手段８０が、大当たり前段判定手段７７が大当たり前段と判定した際、所定時間内にて所定回数だけ開閉体２２、２２を開閉動作させ、入球判定手段８５が、該開閉動作中、通常入球口２８，２８を大当たり入賞口３０に所定数の遊技球が入球したか否かを判定し、大当たり発生手段７８が、所定数の遊技球の入球有りと判定された際に大入賞口７９を開放して大当たりを発生させる。このため、大当たりに当選した場合、所謂第２種パチンコ遊技機のセンター役物に相当するセンター役物３６への所定数の入球を満たした時点で大当たりが実際に発生（即ち、所定数の入球を遊技者等に視認・実感させた後に発生）することになる。これにより、機械的抽選時のプロセスをより一層際立たせ、大当たりに至るプロセスを遊技者により効果的に理解・実感させると共に、第１種パチンコ遊技機における大当たり抽選時の乱数の偏りをホール管理者や遊技者にあまり感じさせないパチンコ機を実現することができる。しかも、１回の開閉動作の開閉角度が段階的に狭くなるように制御されるので、遊技者は、大当たり発生までのアプローチとして所定数の入球を得ようとする中で、最初のうちは比較的容易に入球できていた状態が、或る時点から入球し難い状態になったことに若干の驚きと新奇な遊技性とを感じつつ、遊技を進めることができる。
【００５６】
また、開閉制御手段８０が、第１段階での開閉体２２、２２の開閉動作で第１の個数の遊技球が入球したことを入球判定手段８５が判定した時点で、開閉角度を第１段階より狭くして第２段階に移行させ、入球判定手段８５が、第２の個数の遊技球の入球の有無を判定するので、開閉角度が異なる各段階での入球プロセスで、予め設定された入球数をクリアしなければ大当たりを発生させることができず、従って遊技者は、折角得た大当たりの権利が消滅するかもしれないというスリルを味わいながら遊技を進めることができる。
【００５７】
また、開閉体２２，２２の開閉動作の際、入球するか否かの割合は遊技領域１１ａに打たれた遊技釘（図示無し）を調整によって決定されるので、ホール管理者は遊技釘調整の度合いで大当り確率を個別に変更できる他、遊技者は前記遊技釘の調整具合を観察比較する事で複数ある遊技機の内、どの遊技機が大当たりしやすいかを予測できるので従来の第1種パチンコに比べホール管理者と遊技者の技術介入度が更に向上する。
【００５８】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５９】
【図１】本発明に係る実施の形態におけるパチンコ機の外部構造を示す正面図である。
【図２】本パチンコ機の遊技盤を拡大して示す正面図である。
【図３】開閉体の開閉動作を示す図である。
【図４】本パチンコ機の作用を説明するためのフローチャートである。
【図５】本パチンコ機の作用を説明するためのフローチャートである。
【図６】本パチンコ機の作用を説明するためのフローチャートである。
【図７】本パチンコ機の制御系を示す制御ブロック図である。
【符号の説明】
【００６０】
１    遊技機（パチンコ機）
１４、１５    第１入球部（始動入賞口）
２２    開閉体
２８    第２入球部、通常入球口（通常入賞口）
３０    第２入球部、大当たり入球口（大当たり入賞口）
３６    入球役物（センター役物）
７７    大当たり前段判定手段
７８    大当たり発生手段
７９    大入賞部（大入賞口）
８０    開閉制御手段
８５    入球判定手段
【図１】
2007244617.tif 000003
【図２】
2007244617.tif 000004
【図３】
2007244617.tif 000005
【図４】
2007244617.tif 000006
【図５】
2007244617.tif 000007
【図６】
2007244617.tif 000008
【図７】
2007244617.tif 000009